(57)【要約】【課題】検銭部が着脱できると硬貨識別装置全体として適切な修理ができないことがある。【解決手段】投入口１３ｂから投入された硬貨を検銭する検銭部１３と、この検銭部１３で検銭された硬貨が収納される収納カセット１４と、この収納カセット１４に収納された硬貨を払い出す払出部１５とを備え、検銭部１３と払出部１５は一つの筐体１２に固定装着され、筐体１２の裏面１２ｂには筐体１２へ着脱自在な取付台座１６が装着されるとともに、この取付台座１６には自動販売機へ着脱可能に装着される取付部１７ａ、１７ｂ、１７ｃが設けられたものである。これにより、所期の目的を達成することができる。【選択図】図１
2008293389.tif 000002
【特許請求の範囲】
【請求項１】
硬貨を取り扱う機器へ着脱可能に装着される硬貨識別装置において、前記硬貨識別装置は、投入口から投入された硬貨を検銭する検銭部と、この検銭部で検銭された硬貨が収納される収納部と、この収納部に収納された硬貨を払い出す払出部とを備え、前記検銭部と前記払出部は一つの筐体に固定装着され、前記筐体の裏面には前記筐体へ着脱自在な取付台座が装着されるとともに、この取付台座には前記硬貨を取り扱う機器へ着脱可能に装着される取付部が設けられた硬貨識別装置。
【請求項２】
取付台座は、前後方向と上下方向への移動で筐体から着脱可能とした請求項１に記載の硬貨識別装置。
【請求項３】
取付台座は、筐体裏面の上方に装着されるとともに、前記筐体裏面より小型とした請求項２に記載の硬貨識別装置。
【請求項４】
取付台座は、筐体裏面の両側面方向へ非突出とした請求項３に記載の硬貨識別装置。
【請求項５】
取付台座の下方には筐体に設けられた下方係合部と係合して係止する下方係止部が設けられるとともに、前記取付台座の上方には前記筐体に設けられた上方係合部と係合して係止する上方係止部が設けられた請求項２に記載の硬貨識別装置。
【請求項６】
下方係止部は、筐体の前後方向の略中央で係止されるとともに、上方係止部は前記筐体上端の裏面近傍で係止される請求項５に記載の硬貨識別装置。
【請求項７】
上方係止部は、筐体の両側面近傍と中央で係止される請求項５に記載の硬貨識別装置。
【請求項８】
下方係止部は、取付台座に立設された突起と、この突起の先端に形成された円柱形凸部とで形成されるとともに、前記突起の厚みは前記取付台座本体の厚みと略等しくした請求項６に記載の硬貨識別装置。
【請求項９】
上方係止部は、取付台座本体に連結して設けられた爪で形成されるとともに、前記爪の厚みは前記取付台座本体の厚みと略等しくした請求項７に記載の硬貨識別装置。
【発明の詳細な説明】
【技術分野】
【０００１】
本発明は、自動販売機等に搭載される硬貨識別装置に関するものである。
【背景技術】
【０００２】
以下、従来の硬貨識別装置について説明する。従来の硬貨識別装置１は、図９に示すように自動販売機（硬貨を取り扱う機器の一例として用いた）２に設けられた回動自在の蓋部２ａの裏面に装着されている。顧客は、この硬貨識別装置１の投入口に硬貨５（図示せず）を投入して、蓋部２ａの前面に設けられた選択ボタンを押下することにより、本体部２ｂに収められた商品が選択されて搬出されるものである。
【０００３】
硬貨識別装置１は、図１０に示すように、筐体３と、この筐体３内に収納されるとともに、投入口４ａから投入された硬貨５の真偽と金種を識別する検銭部４と、この検銭部４で識別された硬貨５が収納される収納部６と、この収納部６に収納された硬貨５を払い出す払出部７とで構成されていた。
【０００４】
ここで、検銭部４と収納部６は、筐体３から着脱自在に挿抜できる構成となっていた。図１０は、検銭部４を取り外すために前方へ折り曲げた斜視図である。これは、硬貨識別装置１の検銭部４が故障した時などにこの検銭部４のみを筐体３から取り外して修理工場へ送って修理をするためである。また、収納部６は、収納された硬貨５を収納部６ごと筐体３から取り外して集金する便宜のために着脱自在に設けられている。
【０００５】
また、この硬貨識別装置１では、筐体３に設けられた取付部８で自動販売機２の蓋部２ａへ、硬貨識別装置１全体がネジで取り付けられていた。
【０００６】
以上のように構成された硬貨識別装置１に不具合が発生した場合、市場ではサービスマンが自動販売機２の蓋部２ａを開けて、不具合部がどこで生じたかを検査する。その結果検銭部４に不具合があると判断すると、検銭部４を手前側に倒して検銭部４を筐体３から分離して修理工場へ送る。修理工場では、検銭部４を修理してサービスマンに送る。サービスマンは、修理された検銭部４をもとの硬貨識別装置１に装着する。
【０００７】
なお、この出願の発明に関連する先行技術文献情報としては、例えば、特許文献１が知られている。
【特許文献１】特開２００５−３３９０１０号公報
【発明の開示】
【発明が解決しようとする課題】
【０００８】
しかしながら従来の硬貨識別装置１は、検銭部４が筐体３から着脱自在に装着されているので、例えば、市場において検銭部４が不具合と判断された場合、この検銭部４のみを取り外して修理工場に送ることになる。
【０００９】
このとき、例えば検銭部４の不具合が払出部７との関係において発生した場合、検銭部４の修理のみでは、硬貨識別装置１全体としての完全な修理ができないという問題があった。
【００１０】
本発明は、このような問題を解決したもので、硬貨識別装置１全体としての適切な修理を可能とした硬貨識別装置を提供することを目的としたものである。
【課題を解決するための手段】
【００１１】
この目的を達成するために本発明の硬貨識別装置は、検銭部と払出部は一つの筐体に固定装着され、前記筐体の裏面には前記筐体へ着脱自在な取付台座が装着されるとともに、この取付台座には硬貨を取り扱う機器へ着脱可能に装着される取付部が設けられたものである。これにより、所期の目的を達成することができる。
【発明の効果】
【００１２】
本発明によれば、検銭部と払出部は一つの筐体に固定装着され、前記筐体の裏面には前記筐体へ着脱自在な取付台座が装着されるとともに、この取付台座には硬貨を取り扱う機器へ着脱可能に装着される取付部が設けられたものであり、検銭部と払出部は一つの筐体に固定装着されているので、検銭部と払出部に関連する不具合を総合的に修理することができる。従って、硬貨識別装置全体としての適切な修理が可能となる。
【００１３】
また、検銭部と払出部は、一つの筐体内に固定装着されているので、検銭部と接続されるコネクタが不要となるとともに、検銭部と払出部の制御を統一して制御することができるので、硬貨識別装置の低価格化を図ることができる。
【００１４】
更に、筐体の裏面には筐体へ着脱自在な取付台座が装着されているので、この取付台座を硬貨を取り扱う機器に取り付けたままの状態で容易に着脱を行うことができる。
【発明を実施するための最良の形態】
【００１５】
以下、本発明の実施の形態を図面に基づいて説明する。
【００１６】
（実施の形態１）
図１は本発明の一実施の形態における硬貨識別装置１１の組立斜視図である。図１において、１２は樹脂で一体成型された筐体であり、この筐体１２内の上方には検銭部１３が装着固定されている。この検銭部１３の下方には硬貨５の収納カセット（収納部の一例として用いた）１４が筐体１２から着脱自在に設けられている。また、収納カセット１４の下方には硬貨５の払出部１５が設けられている。この払出部１５は、販売で生じた釣銭等を払い出すものである。
【００１７】
筐体１２の上方裏面１２ｂ側には、取付台座１６が着脱自在に装着されており、この取付台座１６は、取付部１７（１７ａ、１７ｂ、１７ｃ）で自動販売機（硬貨を扱う機器の一例として用いた）２（図９参照）の蓋部２ａへ確りと装着される。また、この取付台座１６は、下方係止部１８と上方係止部１９とで筐体１２へ着脱自在に装着される。従って、自動販売機２への着脱を容易に行うことができる。
【００１８】
収納カセット１４は、検銭部１３で正貨と識別された硬貨５を収納するものであり、筐体１２から着脱自在に設けられている。この収納カセット１４は、硬貨５が収納された状態で筐体１２から取り外すことができる。従って、収納硬貨の回収には、この収納カセット１４ごと取り外して回収することができるので便利である。
【００１９】
検銭部１３の前面には、回動自在な蓋１３ａが装着されており、この蓋１３ａを開けて、金種の設定や硬貨詰りの解消を行うことができる。
【００２０】
また、筐体１２内には、制御基板２１（図示せず）が装着されており、この制御基板２１で、検銭部１３における投入された硬貨５の識別制御や、払出部１５における釣銭等の払い出し制御を行っている。本実施の形態では、検銭部１３と払出部１５は、共に筐体１２へ固定装着されているので、検銭部１３と払出部１５に関連する不具合を総合的に修理することができる。従って、硬貨識別装置１１全体として適切な修理が可能となる。
【００２１】
また、検銭部１３と払出部１５は、一つの筐体１２内に固定装着されているので、検銭部１３と制御基板２１間を直接接続することができる。従って、接続コネクタが不要となり低価格化が実現できる。また、検銭部１３と払出部１５の制御は、制御基板２１で統一して制御することができるので、硬貨識別装置１１としての更なる低価格化を図ることができる。
【００２２】
図２は、硬貨識別装置１１の透視正面図である。硬貨識別装置１１の筐体１２上方には、検銭部１３が一体的に設けられており、この検銭部１３の上端には、硬貨５の投入口１３ｂが設けられている。そして、この投入口１３ｂに連結して、硬貨５の通路１３ｃが下流に向かって設けられている。
【００２３】
この通路１３ｃの壁面には、硬貨５の凹凸を検知する凹凸センサ１３ｄと、硬貨５の材質を検知する材質センサ１３ｅと、硬貨５の材厚を検知する材厚センサ１３ｆがこの順に設けられている。また、通路１３ｃの終端には、投入された硬貨５の真偽を振り分けるゲート１３ｇが設けられている。
【００２４】
このゲート１３ｇの一方の通路は、正貨が転動する通路１３ｈに連結しており、他方の通路は偽貨を排出する出口に連結している。通路１３ｈには４個の振り分けゲート１３ｊが設けられており、その各々は、収納カセット１４の夫々の収納筒１４ａ〜１４ｄに連結している。
【００２５】
この夫々の収納筒１４ａ〜１４ｄの下端は払出部１５に連結している。釣銭等が必要な場合に収納筒１４ａ〜１４ｄに収納された硬貨５が払出部１５から払い出される。
【００２６】
以上のように、構成された硬貨識別装置１１において、以下にその動作を説明する。投入口１３ｂに硬貨５が投入されると、この投入された硬貨５は、通路１３ｃを転動する。この転動する間に、凹凸センサ１３ｄと材質センサ１３ｅと材厚センサ１３ｆで硬貨５の特徴が検知される。これらの信号は、制御基板２１に設けられた識別部（図示せず）で、硬貨５の真偽と金種が識別される。
【００２７】
この識別結果に基づいて、投入された硬貨５が正貨の場合には、ゲート１３ｇは通路１３ｈ側へ連結される。そして、この通路１３ｈを転動するうちに、投入された硬貨５の金種に応じて振り分けゲート１３ｊが動作して、硬貨５の金種に対応する収納筒１４ａ〜１４ｄへ収納される。
【００２８】
また、投入された硬貨５が識別部で偽貨と判定された場合には、ゲート１３ｇの他方の通路へ連結され、偽貨を排出する出口を介して硬貨識別装置１１外へ導かれる。
【００２９】
自動販売機２（図９参照）による販売において、釣銭が必要な場合は、収納筒１４ａ〜１４ｄ内の硬貨５が払出部１５を用いて適宜払い出される。
【００３０】
図３は、硬貨識別装置１１を裏面側から見た斜視図である。硬貨識別装置１１の筐体１２の裏面１２ｂ側には、取付台座１６が着脱自在に装着される。この取付台座１６の形状は裏面１２ｂより小型（縦寸法の略半分）であり裏面１２ｂの上方に装着される。従って、硬貨識別装置１１の重心は取付台座１６より下方となり、自動販売機２への安定した取り付けが可能となる。
【００３１】
取付台座１６の下方両端（筐体１２の両側面側）には夫々２個の下方係止部１８が一体的に設けられており、筐体１２の両側面に設けられた下方係合部２２と係合して係止される。また、取付台座１６の上端には３個の上方係止部１９（１９ａ〜１９ｃ）が一体的に設けられており、筐体１２の裏面１２ｂ側上端に設けられた上方係合部２３（２３ａ〜２３ｃ）と係合して係止される。
【００３２】
このように、取付台座１６は小型ではあるが、下方両端と上端とでバランス良く、筐体１２を支えるので、応力が分散されて安定した取り付けが可能となる。
【００３３】
図４は、硬貨識別装置１１の自動販売機２への取付斜視図である。自動販売機２の蓋部２ａ（の一部）には取付台座１６がネジで取り付けられる。この取付台座１６は、取付台座１６の上方両端近傍に立設された２本の取付部１７ａ、１７ｂと、下方に設けられた１本の取付部１７ｃで自動販売機２の蓋部２ａへ確りと装着される。
【００３４】
また、この取付台座１６と筐体１２とは、下方係止部１８と上方係止部１９で係止される。取付台座１６は、筐体１２より占有面積が小さいので、小面積で取り付けることができる。また、一旦、取付台座１６を取り付けておけば、自動販売機２からの硬貨識別装置１１（但し、取付台座１６を除く）の着脱を容易に行うことができる。
【００３５】
なお、取付部１７ａ、１７ｂ、１７ｃの位置は、従来の硬貨識別装置１と同じ寸法関係になっており、自動販売機２には従来の硬貨識別装置１或いは本実施の形態における硬貨識別装置１１の何れでも取り付けることができる。
【００３６】
図５は、硬貨識別装置１１を上方から見た断面図である。取付台座１６は筐体１２の横幅（両側面）一杯の大きさである。しかし、横幅から突出することはない。従って、自動販売機２において、硬貨識別装置１１以外の装置の取り付けを拘束することはない。
【００３７】
図６は、取付台座１６の斜視図である。取付台座１６は略正方形をしており、下方係止部１８、上方係止部１９（１９ａ、１９ｂ、１９ｃ）、取付部１７（１７ａ、１７ｂ、１７ｃ）とが本体１６ａに一体的に形成されており、筐体１２と同じ材質で形成されている。
【００３８】
取付部１７ａ、１７ｂは取付台座１６の上方両端近傍（筐体１２の両側面近傍）に立設されており、取付部１７ｃは下方の一方の端近傍に立設されている。なお、この取り付け寸法は従来の硬貨識別装置１の取り付け寸法と同じ位置である。従って、自動販売機２に加工を施すことなく、従来の硬貨識別装置１と交換することができる。
【００３９】
１８は、下方係止部であり、取付台座１６の下方両端近傍（筐体１２の両側面近傍）に夫々立設されている。この下方係止部１８は、取付台座１６に立設された突起１８ａと、この突起１８ａの先端に形成された円柱形凸部１８ｂとから構成されている。突起１８ａは、３個の部材１８ｃ、１８ｄ、１８ｅが互いに一体となって直角に形成されており、このことにより十分な強度を得ている。また、この部材１８ｃ、１８ｄ、１８ｅの厚みは取付台座１６本体１６ａの厚み（約２ｍｍ）より若干薄くしている。これは、成型時に樹脂のヒケ現象を低減するためである。この突起１８ａを形成する部材１８ｃ、１８ｄ、１８ｅは、先端に行くほど狭まった傾斜（１０度〜１５度）を有している。また、その高さは、筐体１２の奥行き寸法１２ｃ（図７参照）の略２分の１としている。
【００４０】
１９は、爪状に形成された上方係止部であり、取付台座１６の上端に設けられている。この上方係止部１９は、両端に設けられた上方係止部１９ａ、１９ｂと、その中央に設けられた上方係止部１９ｃとで構成されている。これらの上方係止部１９の厚みは、取付台座１６本体１６ａの厚みと略同じにしている。また、上方係止部１９ａ、１９ｂ、１９ｃの本体１６ａとの接合部１９ｄの長さ１９ｅは、本体１６ａの厚みより大きくして十分な強度を得ている。また、この接合部１９ｄには、凹部１９ｆを設けている。これは、成型時に樹脂のヒケ現象を低減するためである。
【００４１】
図７、図８は、筐体１２の取付台座１６への取り付けを示す側面図である。２２は、下方係止部１８に形成された円柱形凸部１８ｂと係合する下方係合部であり、筐体１２の両側面であって、奥行き寸法１２ｃの略中央に設けられている。この下方係合部２２は、円柱形凸部１８ｂが水平方向に摺動挿入される水平部２２ａと、この水平部２２ａの終端に上方に向かって形成されるとともに、円柱形凸部１８ｂが直角に方向を変えて挿入される半円形凹部２２ｂとで構成されている。
【００４２】
２３は、上方係止部１９と係合する上方係合部であり、筐体１２上端の裏面近傍に設けられている。この上方係合部２３は、上方係止部１９が垂直方向に摺動挿入される孔２３ｄを有している。この上方係合部２３は、筐体１２上端の裏面１２ｂ近傍に設けられているので、筐体１２の上方前面には、空間１２ｄが形成される。従って、この空間１２ｄには、他の部品を配置することができる。
【００４３】
以上のように構成された硬貨識別装置１１において、硬貨識別装置１１を取付台座１６に装着するには、筐体１２に形成された下方係合部２２の水平部２２ａへ、取付台座１６に形成された円柱形凸部１８ｂを嵌合させる。そして、水平部２２ａの突き当たり位置まで挿入する。このとき、上方係止部１９は、上方係合部２３には当接しない寸法関係になっている。
【００４４】
次に、図８に示すように、筐体１２を下方に下ろす。そうすると、円柱形凸部１８ｂは半円形凹部２２ｂへ嵌合する。また、この嵌合と同時に上方係止部１９は、上方係合部２３の孔２３ｄへ摺動して挿入される。
【００４５】
以上のように、筐体１２は、水平方向（前後方向）への移動と、垂直方向（上下方向）の移動で容易に取付台座１６へ装着することができる。この場合、半円形凹部２２ｂは、奥行き寸法１２ｃの略中央に位置しているので、硬貨識別装置１１の略重心線上を支えることになる。従って、硬貨識別装置１１をバランス良く支えることとなり、上方係止部１９、上方係合部２３に余分な力（回動方向の力）が加わることはない。
【００４６】
また、筐体１２を取付台座１６から取り外す場合は、この逆の動作で取り外すことができる。即ち、先ず筐体１２を上方に持ち上げ、続いて筐体１２を前面方向に引くことで、容易に取り外すことができる。
【産業上の利用可能性】
【００４７】
本発明の硬貨識別装置は、適切な修理を容易に行うことができるので、自動販売機等に使用する硬貨識別装置として有用である。
【図面の簡単な説明】
【００４８】
【図１】本発明の一実施の形態における硬貨識別装置の組立斜視図
【図２】同、透視正面図
【図３】同、裏面側から見た斜視図
【図４】同、自動販売機への取付斜視図
【図５】同、上方から見た断面図
【図６】同、取付台座の斜視図
【図７】同、取り付けを示す第１の側面図
【図８】同、取り付けを示す第２の側面図
【図９】自動販売機とこれに取り付けられた従来の硬貨識別装置の斜視図
【図１０】同、硬貨識別装置の斜視図
【符号の説明】
【００４９】
１１  硬貨識別装置
１２  筐体
１２ｂ  裏面
１３  検銭部
１３ｂ  投入口
１４  収納カセット
１５  払出部
１６  取付台座
１７ａ  取付部
１７ｂ  取付部
１７ｃ  取付部
【図１】
2008293389.tif 000003
【図２】
2008293389.tif 000004
【図３】
2008293389.tif 000005
【図４】
2008293389.tif 000006
【図５】
2008293389.tif 000007
【図６】
2008293389.tif 000008
【図７】
2008293389.tif 000009
【図８】
2008293389.tif 000010
【図９】
2008293389.tif 000011
【図１０】
2008293389.tif 000012